(57)【要約】      （修正有）【課題】使用寿命の長い高圧エア釘打機の撃針組合せ装置を提供する。【解決手段】ヘッド部１０の中央に連接部１１が設けられ、連接部１１は、中央に収容溝１３が形成され、外側に該収容溝１３と連通する貫通孔１４が形成される二つの半円柱状の結合ブロック１２を有し、ヘッド部１０と撃針２０をしてから、結合ブロック上端の両側にプレス加工により夫々凹部１５が形成されて、凹部１５の一側に突出部１６が設けられる。撃針２０は、本体２１と、該本体２１の一端に設けられる結合部２２と、該本体の他端に設けられる撃針部２３とを備え、結合部２２は、収容溝１３に挿した時に突出部１６と緊密に接触可能なプレート状であり、中央に結合ブロック１２における貫通孔１４に対応する貫通孔２４が形成され、固定部材３０が結合ブロック１２の貫通孔１４と、結合部２２の貫通孔２４とを貫通する。【選択図】図１
0003124709.tif 000002
【実用新案登録請求の範囲】
【請求項１】
ヘッド部、撃針及び固定部材を有する高圧エア釘打機の撃針組合せ装置であって、
前記ヘッド部は、中央に連接部が設けられ、該連接部は、中央に収容溝が形成されると共に、外側に該収容溝と連通する貫通孔が形成される二つの半円柱状の結合ブロックを有し、ヘッド部と撃針を互いに結合した時、該結合ブロック上端の収容溝と対応する両側に、プレス加工により夫々凹部を形成することで、前記溝部側に突出する突出部を設けてなり、
前記撃針は、本体と、該本体の一端に設けられる結合部と、該本体の他端に設けられる撃針部とを備え、該結合部は前記収容溝に挿入されると共に、突出部と緊密に接触可能なプレート状をなし、中央に結合ブロックにおける貫通孔に対応する貫通孔が形成されており、
前記固定部材は、前記結合ブロックの貫通孔と、結合部の貫通孔とを貫通することにより、ヘッド部と撃針とを互いに結合するようにしたことを特徴とする高圧エア釘打機の撃針組合せ装置。
【請求項２】
前記ヘッド部は、凸字形状の円盤であることを特徴とする請求項１に記載の高圧エア釘打機の撃針組合せ装置。
【考案の詳細な説明】
【技術分野】
【０００１】
本考案は、特に使用寿命の長い高圧エア釘打機の撃針組合せ装置に関するものである。
【背景技術】
【０００２】
高圧エア釘打機は、建築やリフォーム工事を行う時によく使用され、壁面や建材に高圧空気によって釘を連続的に打ち込むためのものである。
【０００３】
図４及び図５に示すように、従来の高圧エア釘打機における撃針組合せ装置４０は、釘を撃ちだすためのものであり、ヘッド部４１、撃針４２、及び固定部材４３を有し、固定部材４３により該ヘッド部４１が撃針４２と結合される構成をなすものである。
【考案の開示】
【考案が解決しようとする課題】
【０００４】
しかしながら、従来の高圧エア釘打機は使用時に、ヘッド部４１が連続的に撃針４２を駆動すると共に、撃針４２が釘を撃ちだし、この連続的な作動で、撃針４２とヘッド部４１の連接箇所が断裂することにより、撃針組合せ装置４０の使用寿命を縮めるという問題があったので、使用上、非常に不便であった。
【０００５】
そこで、案出されたのが本考案であって、使用寿命の長い高圧エア釘打機の撃針組合せ装置を提供することを目的としている。
【課題を解決するための手段】
【０００６】
本願の請求項１の高圧エア釘打機の撃針組合せ装置は、ヘッド部、撃針及び固定部材を有する高圧エア釘打機の撃針組合せ装置であって、前記ヘッド部は、中央に連接部が設けられ、該連接部は、中央に収容溝が形成されると共に、外側に該収容溝と連通する貫通孔が形成される二つの半円柱状の結合ブロックを有し、ヘッド部と撃針を互いに結合する時、該結合ブロック上端の収容溝と対応する両側に、プレス加工により夫々凹部を形成することで、前記溝部側に突出する突出部を設けてなり、前記撃針は、本体と、該本体の一端に設けられる結合部と、該本体の他端に設けられる撃針部とを備え、該結合部は前記収容溝に挿入されると共に、突出部と緊密に接触可能なプレート状をなし、中央に結合ブロックにおける貫通孔に対応する貫通孔が形成されており、前記固定部材は、前記結合ブロックの貫通孔と、結合部の貫通孔とを貫通することにより、ヘッド部と撃針とを互いに結合するようにしたことを特徴とする。
【０００７】
請求項２の考案は、請求項１に記載の高圧エア釘打機の撃針組合せ装置において、前記ヘッド部は、凸字形状の円盤であることを特徴とする。
【考案の効果】
【０００８】
本考案は上記の課題を解決するものであり、ヘッド部の結合ブロックの収容溝と対応する両側にプレス加工により凹部が形成されると共に、該凹部の一側に撃針の結合部と緊密接触可能な突出部が設けられることにより、ヘッド部と撃針の結合強度を向上するので、撃針組合せ装置の使用寿命を延長することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係る高圧エア釘打機の撃針組合せ装置の実施例を示す斜視図であり、図２は本考案に係る高圧エア釘打機の撃針組合せ装置を示す分解斜視図であり、図３は本考案に係る高圧エア釘打機の撃針組合せ装置を示す部分拡大斜視図である。
【００１１】
図１乃至図３に示すように、本考案は、ヘッド部１０、撃針２０、及び固定部材３０を有する高圧エア釘打機に使用される撃針組合せ装置であって、前記ヘッド部１０は凸字形状の円盤であり、中央に連接部１１が設けられ、該連接部１１は、中央に収容溝１３が形成されると共に、外側に該収容溝１３の長手方向と直交して連通する貫通孔１４が形成される。
【００１２】
前記連接部１１は前記収容溝１３によって区画された二つの半円柱状の結合ブロック１２からなり、後述するように、前記収容溝１３に前記の撃針２０の結合部２２を装着した後で前記収容溝１３両側にプレス加工により夫々凹部１５を形成することで、該凹部１５の一側である溝側に突出する突出部１６が形成されるようになっており、これにより、前記ヘッド部１０と撃針２０の下端とを互いに結合した時に前記突出部１６によって互いの結合度を増強するようになっている。
【００１３】
前記撃針２０は、本体２１と該本体２１の一端に設けられた結合部２２と、該本体２１の他端に設けられた撃針部２３とを備える。該結合部２２は、前記収容溝１３に挿入され、前記結合ブロックの両側にプレス加工により凹部１５が形成されることで形成される前記突出部１６と緊密に接触挟持されるプレート状であり、中央に前記結合ブロック１２における貫通孔１４に対応する貫通孔２４が形成されている。
【００１４】
前記固定部材３０は、ヘッド部１０の結合ブロック１２における貫通孔１４と、撃針２０の結合部２２における貫通孔２４とを貫通することにより、ヘッド部１０と撃針２０とを互いに連結結合する。
【産業上の利用可能性】
【００１５】
本考案は上記の構成を有し、ヘッド部の結合ブロックの両側にプレス加工により凹部が形成されると共に、該凹部の一側に撃針の結合部と緊密接触可能な突出部が設けられることにより、ヘッド部と撃針の結合強度を向上するので、撃針組合せ装置の使用寿命を延長することができる。
【図面の簡単な説明】
【００１６】
【図１】本考案に係る高圧エア釘打機の撃針組合せ装置の実施例を示す斜視図である。
【図２】本考案に係る高圧エア釘打機の撃針組合せ装置を示す分解斜視図である。
【図３】本考案に係る高圧エア釘打機の撃針組合せ装置を示す部分拡大斜視図であり。
【図４】従来の高圧エア釘打機の撃針組合せ装置を示す斜視図である。
【図５】従来の高圧エア釘打機の撃針組合せ装置を示す部分拡大斜視図である。
【符号の説明】
【００１７】
１０        ヘッド部
１１        連接部
１２        結合ブロック
１３        収容溝
１４        貫通孔
１５        凹部
１６        突出部
２０        撃針
２１        本体
２２        結合部
２３        撃針端
２４        孔
３０        固定部材
４０        撃針組合せ装置
４１        ヘッド部
４２        撃針
４３        固定部材
【図１】
0003124709.tif 000003
【図２】
0003124709.tif 000004
【図３】
0003124709.tif 000005
【図４】
0003124709.tif 000006
【図５】
0003124709.tif 000007